(57)【要約】【課題】  パネルの薄型化を維持しつつ、機器本体内部の所要スペースを節約できるパネル駆動装置を提供する。【解決手段】  表示装置１０１を備えたパネル１００と、パネル１００における表示装置１０１の背面側に内蔵され、パネル１００を変位させる駆動機構２００とを備える。駆動機構２００は、モータ２１０と、クラッチ２２０、多段ギア２３０、角度検出部２４０、回動端検出部２５０、連結ギア部２６０を備える。クラッチ２２０の摺動ギア２２２、多段ギア２３０の大径部２３１、角度検出部２４０のギア部２４１及び円盤部２４２、回動端検出部２５０のギア部２５１を、その平面を全て表示装置１０１に対して平行な方向（軸が表示装置１０１に直交する方向）に配置する。【選択図】  図１
2006017784.tif 000002
【特許請求の範囲】
【請求項１】
表示装置を備えたパネルと、前記パネルにおける表示装置の背面側に内蔵され、前記パネルを変位させる駆動機構とを備えたパネル駆動装置において、
前記駆動機構は、駆動源と、前記駆動源により駆動される複数のギアとを備え、
前記複数のギアは、その回動量若しくは回動端を検出するための位置検出用ギアと、前記駆動源の駆動力の接続及び切り離しを行うためのクラッチ機構用ギアとを含み、
前記位置検出用ギア及び前記クラッチ機構用ギアの大径部は、表示装置の表示面に平行に配設されていることを特徴とするパネル駆動装置。
【請求項２】
前記駆動源、前記位置検出用ギア及び前記クラッチ機構用ギアのいずれかの間で駆動力を伝達する連結ギア部を有し、
前記連結ギア部の軸は、前記表示装置の表示面に平行に配設されていることを特徴とする請求項１記載のパネル駆動装置。
【請求項３】
前記駆動機構によって駆動される複数のギアと、機器に取り付け可能な取付部とを備えた角度調整機構を有することを特徴とする請求項１又は請求項２記載のパネル駆動装置。
【発明の詳細な説明】
【技術分野】
【０００１】
本発明は、例えば、電子機器等の表示装置を備えたパネルを駆動する技術に係り、特に、パネルの角度を変える機構に改良を施したパネル駆動装置に関するものである。
【背景技術】
【０００２】
近年、車載用の電子機器は多機能化が進んでおり、その利用可能な記録媒体が、ＣＤやＭＤ等の音響用ばかりでなく、ＤＶＤ、ＣＤ−ＲＯＭといった映像用のものにまで広がっている。これと同時に、従来の機能表示のみの表示装置ではなく、ナビゲーション用の画像、ＴＶやＤＶＤの映像等の種々の表示できるように、比較的大型の表示装置を備えた車載用電子機器が一般的になりつつある。
【０００３】
このような車載用電子機器の表示装置は、車内というスペース的な制約があるため、特許文献１に示すように、電子機器の前面に開閉自在に構成されたパネルに設けられているものが多い。そして、パネルが直立した閉状態のときには、電子機器の前面に形成された記録媒体の挿入口を覆い隠しており、パネルが水平となる開状態のときには、挿入口が露出して記録媒体を挿排可能となるように構成されている。また、パネルを開閉させるための具体的な構成としては、特許文献２、３に示すような技術が提案されている。
【特許文献１】特開２００１−５７０６７号公報
【特許文献２】特開２００２−７４９２３号公報
【特許文献３】特開２００３−６９９２０号公報
【発明の開示】
【発明が解決しようとする課題】
【０００４】
しかしながら、上記のような電子機器において、パネルを開閉させるための機構は、電子機器の本体側に設けられており、本体内部において、大きな所要スペースを必要としている。特に、特許文献３のような長尺なラックやアームを使用する場合ばかりでなく、特許文献２のようにパネルを本体内に収納する場合には、より一層大きなスペースが必要となる。また、このように本体内部にパネルを開閉させるための機構を設けると、製造工程において、パネルを本体へ取り付ける作業に非常に手間がかかり、効率のよい生産が妨げられる。
【０００５】
これに対処するため、パネル側に開閉のための機構を備えることが考えられるが、電子機器のパネル自体にも薄型化が要請されているため、単にパネルを開閉させるだけではなく、角度調整のための機能等、複数の機能も含めて、全てパネル側に設けることは困難であった。
【０００６】
本発明は、上記のような従来技術の問題点を解決するために提案されたものであり、その目的は、パネルの薄型化を維持しつつ、機器本体内部の所要スペースを節約できるパネル駆動装置を提供することにある。
【課題を解決するための手段】
【０００７】
以上のような目的を達成するために、請求項１の発明は、表示装置を備えたパネルと、前記パネルにおける表示装置の背面側に内蔵され、前記パネルを変位させる駆動機構とを備えたパネル駆動装置において、前記駆動機構は、駆動源と、前記駆動源により駆動される複数のギアとを備え、前記複数のギアは、その回動量若しくは回動端を検出するための位置検出用ギアと、前記駆動源の駆動力の接続及び切り離しを行うためのクラッチ機構用ギアとを含み、前記位置検出用ギア及び前記クラッチ機構用ギアの大径部は、表示装置の表示面に平行に配設されていることを特徴とする。
【０００８】
以上のような請求項１の発明では、位置検出用ギア及びクラッチ機構用ギア等は、その径が比較的大きくなりやすいが、これらの大径部が全て表示装置の表示面に平行に配設されているので、パネルを薄く維持しつつ、多くの機能を内蔵させることができる。従って、複数の機能を含む駆動機構を機器の本体側に設ける必要がなくなり、機器の内部スペースを有効利用することができるとともに、パネルを取り付けた機器全体の小型化を図ることもできる。
【０００９】
請求項２の発明は、請求項１のパネル駆動装置において、前記駆動源、前記位置検出用ギア及び前記クラッチ機構用ギアのいずれかの間で駆動力を伝達する連結ギア部を有し、前記連結ギア部の軸は、前記表示装置の表示面に平行に配設されていることを特徴とする。
以上のような請求項２の発明では、各ギアを接続する連結ギア部は、比較的長尺となるが、この軸は、表示装置の表示面に平行に配設されているので、パネルの薄さを維持することができる。
【００１０】
請求項３の発明は、請求項１又は請求項２のパネル駆動装置において、前記駆動機構によって駆動される複数のギアと、機器に取り付け可能な取付部とを備えた角度調整機構を有することを特徴とする。
以上のような請求項３の発明では、駆動機構及び角度調整機構が全てパネル側に設けられているので、機器の内部スペースを不要とすることができるとともに、製造時における機器内部の機構との連結や接続等の手間がかからない。このため、製造工程が大幅に簡略化でき、生産効率や品質の向上、コスト削減につながる。
【発明の効果】
【００１１】
以上のような本発明によれば、パネルの薄型化を維持しつつ、機器本体内部の所要スペースを節約できるパネル駆動装置を提供することができる。
【発明を実施するための最良の形態】
【００１２】
以下に、本発明を適用した車載用のパネル駆動装置の一つの実施の形態（以下、本実施形態とする）について、図面を参照して具体的に説明する。なお、以下の説明においては、パネルが直立した状態を基準として、正面側を前方、背面側を後方とし、上下左右の方向は、パネルの正面側から見た場合の方向に対応するものとする。
【００１３】
［Ａ．全体構成］
本実施形態は、図１及び図２に示す通り、以下のような概略構成を有している。
（１）表示装置１０１を備えたパネル１００
（２）パネル１００の背部に内蔵された駆動機構２００
（３）パネル１００の側部に内蔵された角度調整機構３００
（４）パネル１００が取り付けられた車載用電子機器の本体４００
【００１４】
［Ｂ．各部の構成］
［１．パネル（図１、図２）］
パネル１００は、図１に示すように、正面側に液晶等の表示装置１０１を備えた方形の部材である。このパネル１００における表示装置１０１の裏側には、駆動機構２００が内蔵されている。また、パネル１００の左右には、駆動機構２００によって駆動されることにより、パネル１００の角度を変える角度調整機構３００が内蔵されている。
【００１５】
［２．駆動機構（図１、図３及び図４）］
駆動機構２００は、図１、図３に示すように、モータ２１０、クラッチ２２０、多段ギア２３０、角度検出部２４０、回動端検出部２５０、連結ギア部２６０を備えている。モータ２１０は、パネル１００の左上隅近傍に、そのシャフトが表示装置１０１に平行に且つ水平方向となるように配設されている。モータ２１０のシャフトには、ウォーム２１１が取り付けられ、モータ２１０の駆動力がクラッチ２２０に伝達されるように構成されている。
【００１６】
［２−１．クラッチ］
クラッチ２２０は、図４に示すように、表示装置１０１に直交する方向の軸を中心に回動可能に設けられたリール部２２１と、リール部２２１と同軸に回動可能に設けられた摺動ギア２２２とによって構成されている。リール部２２１には、前方に鍔部２２１ａ、後方に鍔部２２１ｂが設けられている。鍔部２２１ｂの後方には、多段ギア２３０に駆動力を伝達するピニオン２２１ｃが形成されている。また、摺動ギア２２２は、鍔部２２１ａ，２２１ｂの間に配設されており、その周囲には、モータ２１０のウォーム２１１に係合したウォームホイールであるギア溝２２２ａが形成されている。
【００１７】
摺動ギア２２２の前面と、リール部２２１の鍔部２２１ａの内側面との間には、潤滑性のあるスペーサ２２２ｂが設けられている。そして、後方の鍔部２２１ｂの内側面と、摺動ギア２２２との間には、スプリング２２３が配設されており、摺動ギア２２２をスペーサ２２２ｂを介して前方の鍔部２２１ａに押し付けているので、通常時には、摺動ギア２２２の回動とともに、リール部２２１が回転するように構成されている。但し、回動中にユーザがパネル１００に触れる等により、リール部２２１側に回動を止める力が加わると、摺動ギア２２２の回動とともに、スペーサ２２２ｂが鍔部２２１ａの内側を摺動するので、リール部２２１とは独立して回動する構成となっている。
【００１８】
［２−２．多段ギア］
多段ギア２３０は、図４に示すように、大径の平歯車である大径部２３１と、小径の平歯車である小径部２３２と、ウォーム２３３とを一体に形成したものであり、クラッチ２２０と平行な軸を中心に回動可能に設けられている。大径部２３１は、クラッチ２２０のピニオン２２１ｃに係合している。なお、後述するように、小径部２３２は、角度検出部２４０に駆動力を伝達し、ウォーム２３３は、連結ギア部２６０に駆動力を伝達する。
【００１９】
［２−３．角度検出部］
角度検出部２４０は、図３及び図４に示すように、円盤部２４２とセンサ２４３を備えている。円盤部２４２は、多段ギア２３０と平行な軸を中心に回動可能に設けられ、その周囲には、多段ギア２３０の小径部２３２に係合する平歯車のギア部２４１が形成されている。また、円盤部２４２の前面には、放射上の反射材２４２ａが等間隔で形成されている。センサ２４３は、反射型のフォトインタラプタであり、発光ダイオードからの光の反射材２４２ａに対する反射の有無を検出することにより、円盤部２４２の回転角度を検出することができる。なお、センサ２４３は、パネル１００若しくはパネル１００に固定された取付板等に固定されている。
【００２０】
［２−４．回動端検出部］
回動端検出部２５０は、図１及び図３に示すように、連結ギア部２６０からの駆動力が伝達される傘歯車であるギア部２５１と、ギア部２５１の回動の上限と下限を検出するスイッチ２５２ａ，２５２ｂを備えている。ギア部２５１には、その外周から突出した突出片２５１ａが形成されており、スイッチ２５２ａ，２５２ｂは、それぞれ突出片２５１ａに接触することにより、ギア部２５１の回動端を検出できる位置に配置されている。なお、スイッチ２５２ａ，２５２ｂも、パネル１００若しくはパネル１００に固定された取付板等に固定されている。
【００２１】
［２−５．連結ギア部］
連結ギア部２６０は、図１及び図３に示すように、パネル１００の表示装置１０１に平行に且つ水平方向に設けられた軸に、複数のギアを構成したものである。すなわち、連結ギア部２６０の右端には、回動端検出部２５０のギア部２５１に係合する傘歯車である右端ギア２６１が設けられている。連結ギア部２６０の中間部には、多段ギア２３０のウォーム２３３に係合するウォームホイールである中間ギア２６２が設けられている。連結ギア部２６０の左端部は、後述するパネルギア３４０の中心から突出しており、図３及び図５に示すように、この左端部には、角度調整機構３００へ駆動力を伝達する左端ギア２６３が設けられている。
【００２２】
［２−６．駆動機構の各ギアの配置］
上述の駆動機構２００においては、クラッチ２２０の摺動ギア２２２、多段ギア２３０の大径部２３１、角度検出部２４０のギア部２４１及び円盤部２４２、回動端検出部２５０のギア部２５１等の比較的大径の部材は、その平面が全て表示装置１０１の表示面に対して平行な方向（軸が表示装置１０１に直交する方向）に配置されている。また、モータ２１０及び連結ギア部２６０のように比較的長尺な部材は、その軸が、表示装置１０１に平行な方向に配置されている。従って、パネル１００における表示装置１０１の背面の薄いスペースに、全ての機能が収容されている。
【００２３】
［３．角度調整機構（図４、図５及び図６）］
角度調整機構３００は、図５に示すように、取付プレート３１０、固定ギア３２０、アーム３３０、パネルギア３４０、アイドルギア３５０及び伝達ギア３６０を備えている。取付プレート３１０は、図５（パネル左側）及び図６（パネル右側）に示すように、本体４００の正面の左右に固定されるプレートである。なお、図示はしないが、本体４００の正面には、記録媒体のための挿入口が複数配設されている。
【００２４】
固定ギア３２０は、図５及び図６に示すように、左右の取付プレート３１０にそれぞれ設けられた扇形の円弧状ギアである。固定ギア３２０は、取付プレート３１０と一体に形成しても、別体に形成して互いに固定してもよい。アーム３３０は、その下端部が、左右の取付プレート３１０における固定ギア３２０の中心（扇形の直角部分の頂点）を軸に回動可能に取り付けられている。一方、アーム３３０の上端は、パネル１００の左右に回動可能に取り付けられている。また、パネル１００とアーム３３０の上端との間には、アーム３３０の回動軸と同軸に、平歯車であるパネルギア３４０が固定されている。そして、アーム３３０の中央部には、平歯車であるアイドルギア３５０が回動可能に取り付けられている。このアイドルギア３５０は、その下部において固定ギア３２０に係合し、上部においてパネルギア３４０に係合している。
【００２５】
また、図５に示すように、パネル１００の左側のパネルギア３４０の中心からは、上記のように、連結ギア部２６０の端部が突出しており、この端部には、パネルギア３４０とは独立して回転する左端ギア２６３が設けられている。そして、パネル１００の左側のアーム３３０のアイドルギア３５０の近傍には、アイドルギア３５０に係合する平歯車である伝達ギア３６０が回動可能に設けられている。この伝達ギア３６０は、駆動機構２００の左端ギア２６３と係合しているので、連結ギア部２６０の駆動力が、伝達ギア３６０を介して、アイドルギア３５０に伝達される構成となっている。
【００２６】
さらに、図５及び図６に示すように、左右のアーム３３０は、それぞれトーションスプリング３３１によって、直立した初期状態側に付勢されている。このトーションスプリング３３１は、そのコイル部に、取付プレート３１０の間に配設された水平方向のシャフト１０２が挿通されることにより支持されている。
【００２７】
［４．制御装置］
モータ２１０の作動は、パネル１００に配設されたスイッチ、表示装置１０１のタッチパネル、外部のリモコン等の各種入力手段からの入力操作、角度検出部２４０のセンサ２４３からの検出信号、回動端検出部２５０のスイッチ２５２ａ，２５２ｂからの検出信号等に基づいて、制御装置によって制御される。この制御装置は、例えば、専用の電子回路若しくは所定のプログラムで動作するコンピュータ等によって実現できる。従って、以下に説明する手順で本装置の動作を制御するためのコンピュータプログラム及びこれを記録した記録媒体も、本発明の一態様である。
【００２８】
［Ｃ．作用］
以上のような本実施形態の作用を、上述の構成図及び図７〜図１０の動作図を参照して説明する。
［１．パネルが倒れる動作］
まず、初期状態においては、図７（Ａ）及び図８に示すように、パネル１００は直立した状態にあり、その表示装置１０１は、正面側を向いている。この状態で、本体４００の正面に設けられた挿入口を露出させるために、入力手段を操作すると、図３及び図４に示すように、モータ２１０が作動して、クラッチ２２０の摺動ギア２２２及びリール部２２１が回動する（図３及び図４参照）。これにより、多段ギア２３０も回動し、連結ギア部２６０の左端ギア２６３が時計方向（図４及び図５から見て）に回動する。
【００２９】
すると、左端ギア２６３に係合した伝達ギア３６０が反時計方向に回動する（図５参照）。従って、伝達ギア３６０に係合したアイドルギア３５０は、時計方向に回動を開始する。アイドルギア３５０は、取付プレート３１０に固定された扇形の固定ギア３２０に係合しているので、自らの時計方向への自転とともに、固定ギア３２０の円弧に沿って前方に公転する。このため、図７（Ｂ）〜（Ｊ）、図９に示すように、アイドルギア３５０が取り付けられたアーム３３０も、前方に倒れる方向に回動する。
【００３０】
一方、アイドルギア３５０は、パネル１００に固定されたパネルギア３４０にも係合しているため、上記のような自転及び公転に従って、パネルギア３４０を反時計方向に回動させる。このため、パネルギア３４０が固定されたパネル１００も、後方に倒れるように、反時計方向に回動する。このように、アーム３３０が前方に倒れるように、パネル１００が後方に倒れるように回動するので、パネル１００の前面の表示装置１０１が、手前を向いた状態で斜め方向に倒れて行く。
【００３１】
この時、図１及び図３に示すように、連結ギア部２６０は、回動端検出部２５０のギア部２５１を回動させており、その突出片２５１ａが、一方のスイッチ２５２ｂを離れ、他方のスイッチ２５２ａに向かって移動する。そして、突出片２５１ａが他方のスイッチ２５２ｂに接すると、回動端であることが検出されて、制御装置がモータ２１０を停止させる。これにより、図７（Ｋ）及び図１０に示すように、パネル１００が水平方向に倒れた状態で停止し、本体４００の正面に設けられた挿入口が露出するので、ユーザは記録媒体を挿入若しくは排出することができる。
【００３２】
［２．パネルが直立する動作］
次に、倒れたパネル１００を初期状態に戻す場合には、ユーザが入力手段を操作して、モータ２１０を作動させ、クラッチ２２０を上記と逆方向に回動させる。これにより、多段ギア２３０も回動し、連結ギア部２６０が反時計方向に回動する。すると、左端ギア２６３及び伝達ギア３６０を介して、アイドルギア３５０が反時計方向に自転を開始して、固定ギア３２０の円弧に沿って後方に公転する。このため、図７（Ｊ）〜（Ｂ）、図９に示すように、アイドルギア３５０が取り付けられたアーム３３０も、後方に立ち上がる方向に回動する。
【００３３】
一方、アイドルギア３５０は、上記のような自転及び公転に従って、パネルギア３４０を時計方向に回動させる。このため、パネルギア３４０が固定されたパネル１００も、前方に立ち上がるように、時計方向に回動する。このように、アーム３３０が後方に立ち上がるように、パネル１００が前方に立ち上がるように回動するので、パネル１００の前面の表示装置１０１が、手前を向いた状態で立ち上がって行く。
【００３４】
この時、回動端検出部２５０のギア部２５１の突出片２５１ａは、上記とは逆に、一方のスイッチ２５２ａを離れ、他方のスイッチ２５２ｂに向かって移動する。そして、突出片２５１ａが他方のスイッチ２５２ｂに接すると、回動端であることが検出されて、制御装置がモータ２１０を停止させる。これにより、図７（Ａ）及び図８に示すように、パネル１００が垂直方向に立ち上がり、本体４００の正面に設けられた挿入口が覆われる。
【００３５】
［３．パネルの角度調整］
上記の説明では、パネル１００が直立した状態と倒れた状態との２状態で変位する例を示したが、この２状態の間の異なる角度（例えば、図７（Ｂ）〜（Ｊ）のいずれかの位置）で停止させることもできる。すなわち、上記のような作動時には、連結ギア部２６０は、角度検出部２４０の円盤部２４２も回動させており、円盤部２４２の反射材２４２ａの通過をセンサ２４３によって検出し、通過した反射材２４２ａの数を制御装置がカウントすることにより、回動量が検出できる。従って、制御装置に、所望のパネル１００の角度に応じたカウント値をあらかじめ設定しておくことにより、その角度で停止させることができる。
【００３６】
［４．安全機能］
さらに、回動中のパネル１００をユーザが触った場合等には、各ギアに回動を停止させる力が加わる。このとき、リール部２２１が停止しても、摺動ギア２２２は、リール部２２１とは独立に回動することができるので、モータ２１０の回動を停止させることはない。つまり、かかる場合には、モータ２１０から連結ギア部２６０への駆動力の伝達が切り離されるので、モータ２１０に負担がかかることはなく、また、無理な力が加わることにより、ギア溝等が劣化することもない。特に、リール部２２１と摺動ギア２２２との間には、潤滑性のあるスペーサ２２２ｂが介在しているので、スプリング２２３の付勢力が加わっていても、摺動はスムーズとなる。
【００３７】
［Ｄ．効果］
以上のような本実施形態によれば、パネル１００の背部及び左右に内蔵された駆動機構２００及び角度調整機構３００のみによって、パネル１００を駆動することができるので、本体４００側に何らの特別な機構等を必要としない。従って、本体４００の内部スペースを有効利用することもできるし、電子機器全体の小型化を図ることもできる。
【００３８】
特に、駆動機構２００において、クラッチ２２０、多段ギア２３０、角度検出部２４０、回動端検出部２５０等、それぞれの機能を有効に発揮するためや減速機能を得るためには比較的大径となりやすいギア部分を、全て表示装置１０１の表示面に対して平行な方向（軸が直交する方向）に配置し、さらに、モータ２１０や連結ギア部２６０のように、比較的長尺の軸を含む部材は、その軸が表示装置１０１の表示面に対して平行な方向となるように配置しているので、パネル１００の背部の薄いスペースを有効利用して、多数の機能を組み込ませることができる。従って、パネル１００の薄型化を維持し、パネル１００が取り付けられる電子機器全体の小型化を実現できる。
【００３９】
また、パネル１００側は全ての機構がユニット化されているので、本体４００へのパネル１００の取り付けは、取付プレート３１０を本体４００に取り付けるだけで済む。このため、本体４００内部の機構との連結や接続等の手間がかからない。従って、製造工程が大幅に簡略化でき、生産効率や品質の向上、コスト削減につながる。
【００４０】
また、角度調整機構３００は、左右に一対設けられているので、安定したスムーズな動作を実現できる。また、角度検出部２４０及び制御装置によって、取り付ける機器に応じて、若しくはユーザの好みに応じて、パネル１００の角度を自動的に制御することができる。さらに、回動中のパネル１００をユーザが触っても、クラッチ２２０により安全性が確保されるので、故障を防止して、長寿命化を実現できる。
【００４１】
［Ｅ．他の実施形態］
本発明は、上記のような実施形態に限定されるものではない。例えば、駆動機構によって駆動される機構は、上記の実施形態で例示した角度調整機構には限定されず、パネルを変位させることができるものであれば、どのような機構であってもよい。外部に設けられたラック（直線状が曲線状かは問わない）に駆動機構を接続する（例えば、上記の左端ギア２６３を係合させる）ことにより、ラックに沿ってパネルを移動させる構造とすることもできる。もちろん、連結ギア部を軸として、若しくはこれに接続された減速機構により、単にパネルを回動させる構造とすることもできる。これらの場合にも、パネルの薄型化を維持しつつ、外部に設ける機構の小型化及び簡略化ができる。
【００４２】
また、固定ギア、アイドルギア及びパネルギアのギア比の設定は、特定のものには限定されない。従って、これらのギア比の変更によって、パネルの回動の態様も、種々のものが実現できる。例えば、図１１に示すように、本体４００の高さ方向の中央においてパネル１００が水平となるようにすることもできるし、図１２に示すように、本体４００の正面を露出させたときに、パネル１００が垂直になるように構成することもできる。パネル１００における表示装置１０１の表示面が反転するように移動させることもできる。
【００４３】
上記の実施形態においては、パネルは水平方向の軸により上下に回動するように構成されていたが、水平方向の軸により左右に回動するように構成してもよい。機器正面からのパネルの退避位置も、上記の実施形態においては、機器正面の下部であったが、逆に上部に退避させてもよく、軸が垂直の場合には、左右のいずれかに退避させてもよい。また、角度調整機構のギア群を、パネルの左右の一対ではなく、左右のいずれか一方のみに設けてもよいし、上下の一対ではなく、上下のいずれか一方のみに設けてもよい。なお、駆動機構及び角度調整機構の配置位置や配置方向、これらを構成するギア数やギアの配置方向についても、本発明の作用効果が得られるものであれば、自由に設定できる。
【００４４】
また、パネルに設ける部材は、表示装置、スイッチ、センサ、マイク、スピーカ、カメラ等、種々の入力手段や出力手段が考えられ、特定のものには限定されない。これらの入出力手段の種類についても、現在又は将来において適用可能なあらゆるものを適用できる。さらに、本発明は、車載用の電子機器に適しているが、これに限定されるものではなく、パネルを備える電気・電子その他の機器に広く適用可能である。従って、据置型、ポータブル型等、種々の装置にも適用可能である。
【図面の簡単な説明】
【００４５】
【図１】本発明のパネル駆動装置の一実施形態を示す正面透視図である。
【図２】図１の実施形態のパネル及び表示装置を示す正面図である。
【図３】図１の実施形態の駆動機構を示す正面図である。
【図４】図１の実施形態の駆動機構及び角度調整機構の一部を示す側面図である。
【図５】図１の実施形態のパネルの左側面透視図である。
【図６】図１の実施形態の角度調整機構の右側面図である。
【図７】図１の実施形態におけるパネルの回動を示す側面図である。
【図８】図１の実施形態におけるパネルの直立状態を示す斜視図である。
【図９】図１の実施形態におけるパネルの傾斜状態を示す斜視図である。
【図１０】図１の実施形態におけるパネルの水平状態を示す斜視図である。
【図１１】本発明のパネル駆動装置の他の実施形態を示す側面図である。
【図１２】本発明のパネル駆動装置の他の実施形態を示す側面図である。
【符号の説明】
【００４６】
１００…パネル
１０１…表示装置
１０２…シャフト
２００…駆動機構
２１０…モータ
２１１，２３３…ウォーム
２２０…クラッチ
２２１…リール部
２２１ａ，２２１ｂ…鍔部
２２１ｃ…ピニオン
２２２…摺動ギア
２２２ａ…ギア溝
２２２ｂ…スペーサ
２２３…スプリング
２３０…多段ギア
２３１…大径部
２３２…小径部
２４０…角度検出部
２４１…ギア部
２４２…円盤部
２４２ａ…反射材
２４３…センサ
２５０…回動端検出部
２５１…ギア部
２５１ａ…突出片
２５２ａ，２５２ｂ…スイッチ
２６０…連結ギア部
２６１…右端ギア
２６２…中間ギア
２６３…左端ギア
３００…角度調整機構
３１０…取付プレート
３２０…固定ギア
３３０…アーム
３３１…トーションスプリング
３４０…パネルギア
３５０…アイドルギア
３６０…伝達ギア
４００…本体
【図１】
2006017784.tif 000003
【図２】
2006017784.tif 000004
【図３】
2006017784.tif 000005
【図４】
2006017784.tif 000006
【図５】
2006017784.tif 000007
【図６】
2006017784.tif 000008
【図７】
2006017784.tif 000009
【図１１】
2006017784.tif 000010
【図１２】
2006017784.tif 000011
【図８】
2006017784.tif 000012
【図９】
2006017784.tif 000013
【図１０】
2006017784.tif 000014